(57)【特許請求の範囲】
【請求項１】
再生繊維から形成される原料を処理する方法であって、
前記原料をスクリーン手段（３、３３）及び浮選セル手段（２）で処理する工程と、前記原料を合格品と不合格品とにふるい分け、前記不合格品を原料を作る工程から外へ導く工程とを含む方法において、
前記不合格品は、汚塵及び／または粗大粘着性異物を含み、
前記スクリーン不合格品を機械式ディスパーゲーター（１３、１３ａ、１３ｂ）に導き、前記スクリーン不合格品から分散された不合格品を形成する工程と、前記分散された不合格品を前記浮選セル手段（２）に戻し、又は前記ディスパーゲーターの浮選セル手段（３７）に導き、前記ディスパーゲーターの浮選セル手段（３７）から原料を作る工程に前記合格品を戻す工程と、を特徴とする方法。
【請求項２】
前記原料を前記浮選セル手段（２）中に浮遊させて、浮選合格品と浮選不合格品とにふるい分ける工程と、
細目スクリーンで前記浮選合格品を細目スクリーン合格品と細目スクリーン不合格品とにふるい分ける工程と、
前記細目スクリーン不合格品を前記機械式ディスパーゲーター（１３、１３ａ、１３ｂ）に導き、前記細目スクリーン不合格品から分散された細目スクリーン不合格品を形成する工程と、
前記分散された細目スクリーン不合格品をもとの前記浮選セル手段（２）に導く工程とを特徴とする請求項１に記載の方法。
【請求項３】
浮選に先行するふるい分け（３３）で前記原料を前記先行するふるい分けの合格品と前記先行するふるい分けの不合格品とにふるい分ける工程と、
前記浮選セル手段（２）中に浮遊させる前記先行するふるい分けの前記合格品を導く工程と、
前記先行するふるい分けの前記不合格品を前記機械式ディスパーゲーター（１３、１３ａ、１３ｂ）に導き、前記先行するふるい分けの前記不合格品から前記先行するふるい分けの分散された不合格品を形成する工程と、
前記浮選セル手段（２）中に浮遊させる前記先行するふるい分けの前記分散された不合格品を導く工程とを特徴とする請求項１又は請求項２に記載の方法。
【請求項４】
前記分散された不合格品を前記ディスパーゲーターの前記浮選セル手段（３７）に導く工程と、
前記ディスパーゲーターの前記浮選セル手段（３７）の前記合格品を前記浮選セル手段（２）に導く工程とを特徴とする請求項１から請求項３までのいずれか一項に記載の方法。
【請求項５】
前記分散された不合格品を前記ディスパーゲーターの前記浮選セル手段（３７）に導く工程と、
前記ディスパーゲーターの前記浮選セル手段（３７）の前記合格品を前記浮選合格品内に導く工程とを特徴とする請求項２に記載の方法。
【請求項６】
前記分散された不合格品を前記ディスパーゲーターの前記浮選セル手段（３７）に導く工程と、
前記ディスパーゲーターの前記浮選セル手段（３７）の前記合格品を前記細目スクリーン合格品内に導く工程とを特徴とする請求項２に記載の方法。
【請求項７】
添加剤を前記不合格品に供給する工程を特徴とする請求項１から請求項６までのいずれか一項に記載の方法。
【請求項８】
前記添加剤を前記機械式ディスパーゲーター（１３、１３ａ、１３ｂ）に供給する工程を特徴とする請求項７に記載の方法。
【請求項９】
前記添加剤は蒸気であることを特徴とする請求項７又は請求項８に記載の方法。
【請求項１０】
再生繊維から形成される原料を処理する装置であって、
前記原料を先行するふるい分けの合格品と先行するふるい分けの不合格品とにふるい分ける手段を備え、前記不合格品は、原料を作る工程から外へ導かれるものであって、汚塵及び／または粗大粘着性異物を含み、前記先行するふるい分けの前記合格品に対する放出流路及び前記先行するふるい分けの前記不合格品に対する放出流路をさらに備える、浮選に先行するスクリーン部材（３３）と、
前記先行するふるい分けの前記合格品を受け入れる供給流路（７）並びに前記浮選合格品の放出流路（９）及び前記浮選不合格品の放出流路（１０）を備える浮選セル手段（２）と、
前記浮選合格品を細目スクリーン合格品と細目スクリーン不合格品とに分ける手段を備え、前記細目スクリーン合格品の放出流路及び前記細目スクリーン不合格品の放出流路をさらに備える、前記浮選合格品の前記放出流路（９）に連結された細目スクリーン部材（３）とを備える装置において、
前記不合格品を受け入れる供給流路（１４）、及び前記浮選セル手段（２）に連結された戻り流路（１５）を備える機械式ディスパーゲーター（１３、１３ａ、１３ｂ）をさらに具備し、前記機械式ディスパーゲーター（１３、１３ａ、１３ｂ）内で処理された前記不合格品が前記浮選セル手段（２）に戻され、また前記合格品が前記機械式ディスパーゲーター（１３、１３ａ、１３ｂ）から前記原料を作る工程に戻されるようになっていることを特徴とする装置。
【請求項１１】
前記機械式ディスパーゲーターの前記供給流路（１４）は、前記細目スクリーン不合格品を受け入れるために前記細目スクリーン部材（３）の前記不合格品に対する前記放出流路に連結されること、及び、前記機械式ディスパーゲーターの前記戻り流路（１５）は、前記機械式ディスパーゲーター（１３、１３ａ、１３ｂ）内で処理された細目スクリーン不合格品が前記浮選セル手段（２）にフィードバック可能であるように配置されることとを特徴とする請求項１０に記載の装置。
【請求項１２】
前記機械式ディスパーゲーターの前記供給流路（１４）は、前記先行するふるい分けの前記不合格品を受け入れるように連結されること、及び、前記機械式ディスパーゲーターの前記戻り流路（１５）は、前記機械式ディスパーゲーター（１３、１３ａ、１３ｂ）内で処理された前記先行するふるい分けの不合格品を前記浮選セル手段（２）に供給するように配置されることとを特徴とする請求項１０又は請求項１１に記載の装置。
【請求項１３】
前記機械式ディスパーゲーターの前記戻り流路（１５）は、前記ディスパーゲーターの浮選セル手段（３７）に連結され、前記ディスパーゲーターの浮選セル手段（３７）の合格品流路（３８）は合格品を前記浮選セル手段（２）に供給するように連結されることを特徴とする請求項１０から請求項１２までのいずれか一項に記載の装置。
【請求項１４】
前記機械式ディスパーゲーターの前記戻り流路（１５）は、前記ディスパーゲーターの浮選セル手段（３７）に連結され、前記ディスパーゲーターの浮選セル手段（３７）の合格品流路（３８）は合格品を前記浮選セル手段（２）の前記合格品内に供給するように連結されることを特徴とする請求項１０から請求項１２までのいずれか一項に記載の装置。
【請求項１５】
前記機械式ディスパーゲーターの前記戻り流路（１５）は、前記ディスパーゲーターの浮選セル手段（３７）に連結され、前記浮選セル手段の合格品流路（３８）は合格品を前記細目スクリーン部材（３）の前記合格品内に供給するように連結されることを特徴とする請求項１０から請求項１２までのいずれか一項に記載の装置。
【請求項１６】
前記機械式ディスパーゲーター（１３、１３ａ、１３ｂ）は、固定子（２６）及び前記固定子に対して回転する回転子（２０）を備え、前記固定子（２６）及び前記回転子（２０）は開口部を有する互い違い、かつ、同心円の表面（２７、２７ａから２７ｆ）を備えることを特徴とする請求項１０から請求項１５までのいずれか一項に記載の装置。
【請求項１７】
前記機械式ディスパーゲーター（１３、１３ａ、１３ｂ）は、回転する第１の回転子（２０）及び前記第１の回転子（２０）の方向と反対の方向に回転するように連結された回転する第２の回転子（２１）を備え、これらの前記回転子（２０、２１）は開口部を有する互い違い、かつ、同心円の表面（２７、２７ａから２７ｆ）を備えることを特徴とする請求項１０から請求項１５までのいずれか一項に記載の装置。
【請求項１８】
開口部を持つ前記表面（２７、２７ａから２７ｆ）は、開口部を有する前記表面（２７、２７ａから２７ｆ）内に決められた間隔を持つように配置されたスロット（３２）を備え、前記スロット（３２）は、前記表面を形成する壁を貫通して延在し、開口部を有する前記表面と少なくとも実質的に同程度の高さであることを特徴とする請求項１６又は請求項１７に記載の装置。
【請求項１９】
開口部を持つ前記表面（２７、２７ａから２７ｆ）は、前記表面を形成する壁を貫通して延在する穴（３１）を備えることを特徴とする請求項１６又は請求項１７に記載の装置。
【請求項２０】
前記機械式ディスパーゲーター（１３、１３ａ、１３ｂ）は、開口部を有する表面（２７、２７ａから２７ｆ）を備え、前記表面は互いに噛み合うことを特徴とする請求項１０から請求項１９までのいずれか一項に記載の装置。
【請求項２１】
並列及び／又は直列に連結された複数の機械式ディスパーゲーター（１３、１３ａ、１３ｂ）を備えることを特徴とする請求項１０から請求項２０までのいずれか一項に記載の装置。
【発明の詳細な説明】
【技術分野】
【０００１】
本発明は、再生繊維（recycled fibre）から形成される原料（stock）を処理する方法に関するものであり、この方法は、原料をスクリーン手段（screen means）及び浮選セル手段（flotation cell means）で処理する工程と、原料を合格品（accept）と不合格品（reject）とにふるい分ける（screening）工程とを含む。
【０００２】
さらに、本発明は、再生繊維から形成される原料を処理する装置に関するものであり、この装置は、原料を先行するふるい分けの合格品と先行するふるい分けの不合格品とにふるい分けるための手段を備え、先行するふるい分けの合格品に対する放出流路及び先行するふるい分けの不合格品に対する放出流路をさらに備える、浮選に先行するスクリーン部材と、先行するふるい分けの合格品を受け入れるための供給流路並びに浮選合格品のための放出流路及び浮選不合格品のための放出流路を有する浮選セル手段と、浮選合格品を細目スクリーン合格品と細目スクリーン不合格品とに分けるための手段を備え、細目スクリーン合格品のための放出流路及び細目スクリーン不合格品のための放出流路をさらに備える、浮選合格品のための前記放出流路に連結された細目スクリーン部材とを備える。
【背景技術】
【０００３】
紙くずなどの、再生繊維から作られる繊維原料は、これ以降「原料」と称され、脱墨プロセスにおいて、パルプ中の粘着性異物及び汚塵が原料のさらなる処理、例えば巻き取り紙の形成を妨げないようにこの原料をふるい分けなければならない。
【０００４】
スクリーン不合格品とともに取り出されたパルプ破片を生ゴミ処理、つまり、焼却若しくは廃棄物投棄場所に持ってゆくことが知られている。
【０００５】
上記の装置での問題点は、前記取り出されたパルプ破片が望ましくない材料を含むだけでなく、利用することのできる良好な繊維をも大量に含んでいるという点である。現在の実施方法では、この良好な繊維が廃棄されている。
【先行技術文献】
【特許文献】
【０００６】
【特許文献１】米国特許第３７４４７６３号明細書
【発明の概要】
【発明が解決しようとする課題】
【０００７】
そこで、本発明の目的は、上記の問題を少なくとも軽減するための方法及び装置を提供することである。
【課題を解決するための手段】
【０００８】
本発明の目的は、独立請求項において開示されている内容によって特徴付けられる方法及びシステムによって達成される。本発明の好ましい実施形態は、従属請求項において開示される。
【０００９】
本発明は、機械式ディスパーゲーター（機械式分散器、mechanical dispergator）で脱墨パルプのふるい分けで生成された不合格品を処理し、その後、ディスパーゲーターで処理された不合格品を浮選工程、つまり、浮遊させる浮選工程内の供給物、又はディスパーゲーターの専用浮選セル手段に導くことができることに基づく。ディスパーゲーター内の不合格品の機械式処理は、パルプ中の粗大粘着性異物と呼ばれるものを低減し、それと同時に、それらのために何らかの新しいきれいな表面を形成する。同じことが不合格品中の汚塵にも適用される。そこで、浮選工程において選択的にそれらを取り除くことが可能になる。
【００１０】
本発明による方法及び装置の利点は、不合格品中の繊維材料を回収して活用することができる点にある。
【００１１】
本発明の好ましい一実施形態の考え方は、原料を浮選セル手段中に浮遊させて、浮選合格品と浮選不合格品とにふるい分ける工程と、細目スクリーンで浮選合格品を細目スクリーン合格品と細目スクリーン不合格品とにふるい分ける工程と、細目スクリーン不合格品を機械式ディスパーゲーターに導き、それから分散された細目スクリーン不合格品を形成する工程と、分散された細目スクリーン不合格品を前記浮選セル手段に導いて返す工程とを含む。
【００１２】
細目スクリーン不合格品とともに取り出される繊維材料の量が減るという利点がある。
【００１３】
第２の好ましい一実施形態の考え方は、浮選に先行するふるい分けで原料を先行するふるい分けの合格品と先行するふるい分けの不合格品とにふるい分ける工程と、浮選セル手段中に浮遊させる先行するふるい分けの合格品を導く工程と、先行するふるい分けの不合格品を機械式ディスパーゲーターに導き、それから先行するふるい分けの分散された不合格品を形成する工程と、前記浮選セル手段中に浮遊させる先行するふるい分けの分散された不合格品を導く工程とを含む。
【００１４】
浮選に先行するふるい分けの不合格品とともに取り出される繊維材料の量が減るという利点がある。
【００１５】
次に、本発明は、好ましい実施形態を用いて、また添付図面を参照しつつ、さらに詳しく説明される。
【図面の簡単な説明】
【００１６】
【図１】再生繊維から形成される原料をふるい分ける工程に含まれる知られている装置の概略を示す図である。
【図２】本発明による装置を備える、再生繊維から形成される原料を作るために使用される装置の概略を示す図である。
【図３】粗大粘着性異物の発生及びサイズ分布に対する機械式ディスパーゲーターの効果の概略を示す図である。
【図４】本発明による装置及び方法により達成される、原料中の粗大粘着性異物の変化の概略を示す図である。
【図５】汚塵の発生及びサイズ分布に対する機械式ディスパーゲーターの効果の概略を示す図である。
【図６】本発明による装置及び方法により達成される、原料中の汚塵の発生及びサイズ分布の変化の概略を示す図である。
【図７】本発明による装置及び方法により達成される、原料中の付着印刷用インクの量の変化の概略を示す図である。
【図８ａ】本発明による装置に含まれる機械式ディスパーゲーターの概略側面部分断面図である。
【図８ｂ】本発明による装置に含まれる機械式ディスパーゲーターの概略上面部分断面図である。
【図９】本発明による装置に含まれる第２の機械式ディスパーゲーターの概略側面図である。
【図１０ａ】本発明による装置に含まれる第３の機械式ディスパーゲーターの概略側面図である。
【図１０ｂ】本発明による装置に含まれる第４の機械式ディスパーゲーターの概略側面図である。
【図１１ａ】本発明による装置に含まれる機械式ディスパーゲーターの細部の概略側面図である。
【図１１ｂ】本発明による装置に含まれる機械式ディスパーゲーターの細部の概略側面図である。
【図１２】本発明による第２の装置を備える、再生繊維から形成される原料を作るために使用される装置の概略を示す図である。
【図１３】本発明による第３の装置を備える、再生繊維から形成される原料を作るために使用される装置の概略を示す図である。
【図１４】本発明による第４の装置を備える、再生繊維から形成される原料を作るために使用される装置の概略を示す図である。
【発明を実施するための形態】
【００１７】
図中、本発明はわかりやすくするため簡素化して図示されている。図中、類似の部分には同じ参照番号が記されている。
【００１８】
図１は、再生繊維から形成される原料をふるい分ける工程に含まれる公知の装置の概略を示している。
【００１９】
この装置の基本要素は、浮選セル手段２、浮選に先行するスクリーン部材３３、細目スクリーン部材３である。紙くずなどの原料の原材料として使用される材料はパルパー４で繊維状に分解される、つまり、パルプにされる。原料は、パルパー４から貯蔵塔５等の中に導かれる。原料は、貯蔵塔から供給管システム６を通じて浮選に先行するスクリーン部材３３内に投与される。
【００２０】
浮選に先行するスクリーン部材３３は、原料を先行するふるい分けの合格品と先行するふるい分けの不合格品とにふるい分けるための手段を備える。このふるい分けは、少なくとも主に粒子のサイズ及び形状に基づく。先行ふるい分けの合格品とも称されうる、合格した原料は、流路３４を通じて浮選セル手段２の供給流路７内に導かれ、浮選セル手段内で浮遊される。先行するふるい分けの不合格品は、流路３５を通してプロセスから外へ導かれる。
【００２１】
浮選セル手段２において、先行するふるい分けの不十分な合格品内に空気を吹き込み、それにより、その中に気泡を発生させる。浮選セル手段２において、浮選を増強する化学薬品も添加することができる。特定の種類の界面化学作用で粒子が気泡に付着し、表面に浮かび上がる。表面に上昇した泡は、それに付着した粒子とともに、浮選不合格品に対する放出流路を通じてプロセスから取り除かれる。原料の残りは、浮選合格品に対する放出流路９を通して浮選合格品に対する流路８内に送り込まれ、さらに細目スクリーン部材３に導かれる。
【００２２】
細目スクリーン部材３は、浮選合格品を細目スクリーン合格品と細目スクリーン不合格品とにふるい分けるための手段を備える。細目スクリーン合格品は、細目スクリーン合格品に対する流路１１を通して、その使用場所へ、例えば、抄紙機に直接導かれる。スクリーン不合格品は、細目スクリーン不合格品に対する流路１２を通してプロセスから外へ導かれる。
【００２３】
細目スクリーン不合格品は、毎秒約１０リットルの流量で生成され、その中の繊維の量は、０．１ｋｇ／ｓの範囲内となる可能性がある。これは、製紙で年間３０００トンを超える繊維流量が廃棄されることを意味する。
【００２４】
図２は、本発明による装置を備える、脱墨パルプを作るために使用される装置の概略を示す図である。脱墨パルプとは、再生繊維から形成される原料のことである。
【００２５】
装置は、図１に示されているものに似ているが、ただし、本発明による装置では、機械式ディスパーゲーター１３及びそれに連結された流路をさらに備える。機械式ディスパーゲーター１３の供給流路１４は、細目スクリーン部材３の不合格品に対する放出流路１２に連結され、これにより、機械式ディスパーゲーター１３は細目スクリーン不合格品を受け入れる。機械式ディスパーゲーター１３は、細目スクリーン不合格品の全量、つまり、１００％、又はその一部を受け入れることができる。後者の代替的形態において、不合格品の残りは、機械式ディスパーゲーター１３を超えて、例えば工程外部へ導かれる。
【００２６】
機械式ディスパーゲーター１３から取り出される材料は、戻り流路１５に供給される。戻り流路１５は、機械式ディスパーゲーター１３内に生成され分散された細目スクリーン不合格品が浮選セル手段２にフィードバックされるように浮選セル手段２の供給流路７に連結されている。図２に示されている実施形態では、戻り流路１５は、流路３４に連結される。戻り流路１５は、分離した導管又は同様のものを介して浮選セル手段２に連結することもできる。
【００２７】
図２の実施形態では、細目スクリーン不合格品は、１台の機械式ディスパーゲーター１３で処理される。１台の機械式ディスパーゲーター１３の代わりに、並列に、及び／又は直列に連結された２台並びにそれ以上の機械式ディスパーゲーター１３を使用することもできる。
【００２８】
本発明の実施形態で使用可能ないくつかの機械式ディスパーゲーター１３は、図８ａから図１０ｂにおいてさらに詳しく説明されている。この意味においてもなお、機械式ディスパーゲーター１３は、非常に強い圧力パルス、場合によってはキャビテーションをパルプに導くと述べることも可能であろう。これにより、パルプ中の微量粘着性異物が低減され、及び／又はそれらに対するある種の新しい表面が作られるか、又は露出される。同様にして、パルプ中の汚塵はより小さくなり、及び／又はある種の新しい表面が得られる。新しい表面は、浮選セル手段２内で容易に反応を起こす。
【００２９】
浮選セル手段２は、並列及び／又は直列に連結されるなど知られている１つ又は複数の浮選セルを備える。
【００３０】
先行するスクリーン部材３３及び細目スクリーン部材３は両方とも、保護スクリーン、渦巻きスクリーン、不合格品繊維離解機、圧力スクリーン、及び不合格品スクリーンなどの、さまざまな種類のスクリーンを備えることができるスクリーン・ラインを最も典型的に形成する１つ又は複数のスクリーンを備える。これらは、そのようなものとして知られている解決策により実装することができ、したがって、この文脈ではさらに詳しく説明することはしない。
【００３１】
図３は、原料中の粗大粘着性異物の発生及びサイズ分布に対する機械式ディスパーゲーターの効果の概略を示す。この機械式ディスパーゲーターは、その原理に関して、商標名Ｃａｖｉｔｒｏｎ  １０００を有する、図９及び図１０ａによるものであり、図２に従って連結された。ここに提示されている体積流量は、例示的な工場内のプロセスの流れに基づき導出される。この体積流量は、流路３４では１０３０ｌ／ｓであり、浮選合格品に対する流路８では９２７ｌ／ｓであり、細目スクリーン不合格品に対する流路１２では９．５ｌ／ｓであった。原料の粘稠度は、流路３４では１．５％であり、浮選合格品に対する流路８では１．４％であり、細目スクリーン不合格品に対する流路１２では１．２％であった。
【００３２】
細目スクリーン不合格品が機械式ディスパーゲーター１３内で処理される場合、パルプ中の２０００から１００００μｍまでのサイズ範囲内の粗大粘着性異物の数（１パス）は、かなり実質的に低下することがわかる。上述のサイズ範囲内の粗大粘着性異物は、約２００〜１０００μｍのサイズ範囲内のより小さな粗大粘着性異物分解される。この分解と併せて、粗大粘着性異物に対して、反応を起こす能力のあるある種の新しいきれいな表面が形成される。
【００３３】
より長い期間にわたってディスパーゲーター内で細目スクリーン不合格品を再生する方法が結果にどのような影響を及ぼすかについても研究された。機械式ディスパーゲーター１３を通して、５分間（ループ５分）で不合格品を再生した。６００から１００００μｍまでのサイズ範囲内の特に大きい粗大粘着性異物がなおいっそう低減されうることがわかる。
【００３４】
図４は、本発明による装置及び方法により達成される、原料中の粗大粘着性異物の変化の概略を示す。
【００３５】
上述の機械式ディスパーゲーター１３及び変数値が使用された。分散された細目スクリーン不合格品を機械式ディスパーゲーター１３から浮選セル手段２に供給し、図４に示されている粗大粘着性異物のサイズ分布を浮選セル合格品から測定した。粗大粘着性異物の大半がパルプから取り除くのに成功したことがわかる。機械式ディスパーゲーター１３と浮選セル手段２との組み合わせによって極端に良好な結果が得られる。パルプをディスパーゲーター１３にいったん通して得られる結果（１パス＋浮選）は、実際には、５分間パルプを再生させた（ループ５分＋浮選）のと同じであることがわかる。
【００３６】
図５は、汚塵の発生及びサイズ分布に対する機械式ディスパーゲーターの効果の概略を示す。上述の機械式ディスパーゲーター１３及び変数値が使用された。
【００３７】
細目スクリーン不合格品流路１２内を流れるパルプの汚塵は、主に（８９％）、サイズ２５０μｍより大きかった。前記パルプが機械式ディスパーゲーター１３で処理された場合、５００μｍ超の最大の汚塵の個数は、約半分にまで下がった。大きな汚塵は、機械式ディスパーゲーターで５分間パルプを再生することによってなおいっそう効率的に減らすことが可能である。
【００３８】
図６は、本発明による装置及び方法により達成される、汚塵の発生及びサイズ分布の変化の概略を示す。図５の説明によって処理される分散された細目スクリーン不合格品を浮選セル２にフィードバックした。すべてのサイズの汚塵の数が減らされ、機械パルプが機械式ディスパーゲーター１３にいったん通された結果は実際には５分間再生されたパルプと同じであることがわかる。パルプ内にまだ残っているより大きな汚塵は、浮選後であっても目に付くが、これらは結局細目ふるい分けで細目スクリーン不合格品となり、したがって機械式ディスパーゲーター１３による再処理がなされるようなサイズ範囲のままである。したがって、これらの大きな汚塵が最後に細目スクリーン合格品とともに抄紙機にたどり着かない確率が高い。
【００３９】
図７は、本発明による装置及び方法により達成される、原料中の付着印刷用インクの量の変化の概略を示す。浮選を機械式ディスパーゲーター１３による処理と組み合わせることで、貯蔵塔５（Ａｂｌｅｅｒｔｕｒｍ）から供給される原料と比較して、原料に付着する印刷用インクの量が低減されることがわかる。
【００４０】
図８ａ及び図８ｂは、本発明による装置に含まれる機械式ディスパーゲーターの概略側面部分断面図及び概略上面部分断面図を示している。
【００４１】
機械式ディスパーゲーター１３は、回転する第１の回転子２０と第１の回転子に関して回転子、それと同心にある第２の回転子２１を備える。回転子２０、２１は、反対方向に回転するように連結される。第１の回転子２０は、羽根円上に第１の羽根２２を備える。この羽根円は、開口部２７ａを持つ第１の表面を形成するが、それは、２つの隣接する第１の羽２２の間に開口部があるからである。
【００４２】
第２の回転子２１は、第１の羽根２２によって形成される羽根円の両側の２つの羽根円上に第２の羽根２３ａ、２３ｂを備える。これらの羽根円は、開口部２７ｂ、２７ｃを持つ第２及び第３の表面を形成する。
【００４３】
開口部を持つ前記表面２７ａから２７ｃは、互いに絡み合い、互いと同心である。
【００４４】
羽根円の数、それらの中の羽根の数、羽根の形状及び寸法、並びに同様の特性は、図８ａ、図８ｂに示されている機械式ディスパーゲーター１３と異なることがあることに留意されたい。
【００４５】
第１の回転子２０及びそれらの中に配置される第１の羽根２２は、第１の駆動軸２４を介して回転され、第２の回転子２１はその第２の羽根２３ａ、２３ｂとともに第２の駆動軸２５により回転する。
【００４６】
機械式ディスパーゲーターの供給開口部１４は、回転子の中心のところに配置される。ここで供給されるパルプは、開口部を持つ表面を通過する、つまり、羽根２２、２３ａ、２３ｂの間から外円の方向に進み、さらに戻り流路１５を通って外に出る。パルプは、強い剪断力を受け、場合によってはキャビテーションを受けて、パルプに含まれる粗大粘着性異物、汚塵、及び／又は接着している着色剤が繊維から脱離し、分割され、及び／又は分解する。
【００４７】
図９は、本発明による装置に含まれる機械式ディスパーゲーターの概略側面図を示している。機械式ディスパーゲーター１３は、ここで、固定子２６及びこれに関して回転する第１の回転子２０を備える。固定子２６は、開口部を持つ３つの同心及び円形の表面２７ａ、２７ｂ、２７ｃを備える。また、回転子２０は、開口部を持つ３つの同心及び円形の表面２７ｄ、２７ｅ、２７ｆを備え、これらの表面は開口部を持ちそれらに関して同心である固定子表面と絡み合う。
【００４８】
固定子２６と回転子２０の両方において開口部を持つ表面２７ａから２７ｆは、図１１ａによる歯３０を備えることができ、それらの間に、図１１ｂによる開口部３２又は穴３１又はその両方がある。機械式ディスパーゲーター１３内の開口部を持つすべての表面は歯−開口構造又は穴のみを有するか、或いは開口部を持ついくつかの表面は歯−開口構造を有し、いくつかは穴を有するものとしてよい。開口部３２は、典型的には、開口部を持つ表面と少なくとも実質的に同程度の高さを有する。
【００４９】
図９に示されている実施形態では、開口部を持つすべての表面２７ａから２７ｆの断面は、実質的に同じ形状及びサイズであるが、これは必ずしも必要というわけではない。
【００５０】
機械式ディスパーゲーターは、供給開口部２９を備え、これを通して、添加剤をスクリーン不合格品に供給することができる。添加剤は、例えば、分散剤、表面活性剤、又は蒸気であってよい。蒸気は、例えば、プロセスの温度を上げるために使用されうる。また、図８ａによる２つの回転子を備える機械式ディスパーゲーター１３は、供給開口部２９を有することができることに留意されたい。
【００５１】
図１０ａ、図１０ｂは、本発明による装置に含まれる第２及び第３の機械式ディスパーゲーターの概略側面図を示している。
【００５２】
第２の機械式ディスパーゲーターは図１０ａの左側に示されており、第３の機械式ディスパーゲーターは図１０ｂの右側に示されている。
【００５３】
図１０ａに示されている機械式ディスパーゲーター１３は、図９に示されている機械式ディスパーゲーターと似ているが、回転子２０内の開口部を持つ一番外側の表面２７ｃが開口部を持つ他の表面２７ａ、２７ｂ、２７ｄ、２７ｅに比べて実質的に幅が広く、長い点で異なる。さらになる違いとして、開口部を持つ前記他の表面２７ａ、２７ｂ、２７ｄ、２７ｅが互いに関して絡み合わないという点が挙げられる。
【００５４】
図１０ｂに示されている機械式ディスパーゲーター１３は、開口部を持つ表面が最も好ましくは固定子２６及び／又は回転子２０内にそれらの中に円形の溝を作ることによって形成することができ、必要な開口部はこれらの溝の間の稜部内に作られるという事実を明確に示している。
【００５５】
機械式スクリーン１３は、例えば、商標名Ｃａｖｉｔｒｏｎ（登録商標）、Ｓｕｐｒａｔｏｎ（登録商標）、Ａｔｒｅｘ（登録商標）で市販されている。いくつかの機械式スクリーン１３は、例えば、米国特許第３７４４７６３号明細書、米国特許第３９９６０１２号明細書、米国特許第４４１４３３０号明細書、米国特許第６８８３７３７号明細書、フィンランド特許第１０５６９９号明細書に示されている。
【００５６】
図１２は、本発明による第２の装置を備える、再生繊維から形成される原料を作るために使用される装置の概略を示す。
【００５７】
機械式ディスパーゲーター１３の供給流路１４は、流路３５から浮選に先行するふるい分け部材３３の不合格品を受け入れるように連結される。機械式ディスパーゲーター１３は、前記不合格品の全量、つまり、１００％、又はその一部を受け入れることができる。後者の代替的形態において、不合格品の残りは、機械式ディスパーゲーター１３を超えて、例えばプロセスから外へ導かれる。
【００５８】
機械式ディスパーゲーターの戻り流路１５は、機械式ディスパーゲーター１３内で処理された、先行するふるい分けの不合格品が浮選セル手段２内に浮遊するように供給される形で浮選セル手段２の入口側に連結される。
【００５９】
保護スクリーン３６は、到来する不合格品から機械式ディスパーゲーター１３を損傷するか、又は詰まらせるおそれのあるそのような材料をふるい分けることを目的として流路３５に連結される。しかし、この装置は、保護スクリーン３５なしで実装することもできることに留意されたい。
【００６０】
図１３は、本発明による第３の装置を備える、再生繊維から形成される原料を作るために使用される装置の概略を示す。前記装置は、図２及び図１２に示されている装置の組み合わせである。言い換えると、これは、先行するふるい分けの不合格品と機械式ディスパーゲーター１３ａ、１３ｂによる細目スクリーン不合格品の両方の処理を含むということである。
【００６１】
図１４は、本発明による第４の装置を備える、再生繊維から形成される原料を作るために使用される装置の概略を示す。図１４は、この装置を装置に連結するための３つの代替的形態をさらに示す。
【００６２】
この装置は、ディスパーゲーターの浮選セル手段３７を備え、これは上述の浮選セル手段２などに対応する仕方で動作する。機械式ディスパーゲーターの戻り流路１５は、分散された細目スクリーン不合格品をディスパーゲーターの浮選セル手段３７に供給するように連結される。ディスパーゲーターの浮選セル手段３７からの合格品は、その合格品流路３８を通して浮選セル手段２に供給される。
【００６３】
破線は、ディスパーゲーターの浮選セル手段３７の連結の第２の代替的形態を示している。ここで、ディスパーゲーターの浮選セル手段３７からの合格品は、細目スクリーン部材３の供給部、例えば、浮選合格品流路８に供給される。
【００６４】
一点鎖線は、ディスパーゲーターの浮選セル手段３７の連結の第３の代替的形態を示している。ここで、ディスパーゲーターの浮選セル手段３７からの合格品は、細目スクリーン部材３の合格品内に、例えば、細目スクリーン合格品流路１１に供給される。
【００６５】
図１４に示されている実施形態を、図１２に示されている装置などの前の方ですでに説明されている装置の一実施形態と組み合わせることができる。
【００６６】
当業者には、技術が進歩するにつれ発明の基本的な考え方を多くの異なる方法で実装できるようになることは明らかであろう。したがって、本発明及び実施形態は、上で説明されている例に制限されず、請求項の範囲内で変更できる。
【図１】
0005886844.tif 000002
【図２】
0005886844.tif 000003
【図３】
0005886844.tif 000004
【図４】
0005886844.tif 000005
【図５】
0005886844.tif 000006
【図６】
0005886844.tif 000007
【図７】
0005886844.tif 000008
【図８ａ】
0005886844.tif 000009
【図８ｂ】
0005886844.tif 000010
【図９】
0005886844.tif 000011
【図１０ａ】
0005886844.tif 000012
【図１０ｂ】
0005886844.tif 000013
【図１１ａ】
0005886844.tif 000014
【図１１ｂ】
0005886844.tif 000015
【図１２】
0005886844.tif 000016
【図１３】
0005886844.tif 000017
【図１４】
0005886844.tif 000018